(57)【要約】【課題】発光装置において、全体の厚さを厚くすることなく、光軸に平行に出射する光の輝度分布の不均一度合いを抑制して均一性を高める。【解決手段】発光面１４ａから光Ｌを出射するＬＥＤパッケージ１４が実装された回路基板１１と、発光点１４ｃを焦点とするとともに、リフレクタ２０の、発光面１４ａに平行な方向に沿った幅Ｗの各端部Ｄ１，Ｄ２から、幅Ｗに直交する方向に延ばした垂線Ｈ１，Ｈ２と発光面１４ａの延長面Ｓとが交わる各交点Ｐ１，Ｐ２を通過する、リフレクタ２０の側に凸の回転放物面Ｊ０を仮想的に定義したとき、反射面２１は、回転放物面Ｊ０よりも下側であって、反射面２１のうち最も下側にある放物面部分ｊ０が回転放物面Ｊ０の最下点Ｐ０以下の位置となるように形成されている。【選択図】図４
2013187310.tif 000002
【特許請求の範囲】
【請求項１】
その発光面から光を出射するＬＥＤパッケージが実装された回路基板と、
前記ＬＥＤパッケージの発光面に対向する側に、前記発光面と所定の間隔を以て配置されて、前記発光面から出射された光を前記ＬＥＤパッケージの背面の方向に、平行光として反射する反射面を有する反射部材と、を備え、
前記反射面は、分割された複数の反射面が並べて形成されたものであるとともに、
前記発光面の位置を焦点とするとともに、前記反射部材の、前記発光面に平行な方向に沿った幅の各端部から、前記幅に直交する方向に延ばした垂線と前記発光面の延長面とが交わる各交点を通過する、前記反射部材の側に凸の回転放物面を仮想的に定義したとき、前記反射面は、前記回転放物面よりも下側であって、前記反射面のうち最も下側にあるものが前記回転放物面の最下点以下の位置となるように形成されていることを特徴とする発光装置。
【請求項２】
前記ＬＥＤパッケージの背面の側に配置されて、前記光を透過する透過性を有するカバーを備え、
前記回路基板は、前記カバーに接して設けられていることを特徴とする請求項１に記載の発光装置。
【発明の詳細な説明】
【技術分野】
【０００１】
本発明はＬＥＤ（Light Emitting Diode：発光ダイオード）などの発光素子を用いた発光装置に関し、詳細には、発光素子から出射された光を反射部材で反射させて発光素子の背面方向（光の出射方向とは反対の方向）に出射するようにした反射型の発光装置の改良に関する。
【背景技術】
【０００２】
従来、発光装置として、ＬＥＤパッケージの発光面に対向させて反射部材（リフレクタ）を配置し、ＬＥＤパッケージから出射した光（出射光）をリフレクタで反射させ、その反射した光（反射光）をＬＥＤ素子の背面方向に出射させる、いわゆる反射型のものが開発されている（特許文献１）。
【０００３】
この反射型の発光装置は、ＬＥＤパッケージからの出射光を高い効率で外部に出射することができるため、高い輝度が求められる発光装置では特に有用である。
【０００４】
さらに、反射部材の反射面を、単一の回転放物面（ＬＥＤパッケージの発光面の中心を焦点とし、反射部材の側に向けて凸となる放物線を、その光軸を中心として回転したときに形成される凹面）に設定することで、反射部材で反射された光を、回転放物面の軸に平行な光（平行光）とすることが提案されている（特許文献２）。
【先行技術文献】
【特許文献】
【０００５】
【特許文献１】特開平１０−３３５７０６号公報
【特許文献２】特開２００２−１５１７４６号公報
【発明の概要】
【発明が解決しようとする課題】
【０００６】
ところで、上述した特許文献２に記載されたＬＥＤ発光装置は、反射部材で反射されてＬＥＤ発光装置から出射するときの、出射面における輝度の分布が不均一度合いが高い、という問題がある。
【０００７】
すなわち、ＬＥＤパッケージの配光特性は、発光点から光軸に沿った方向については高い輝度を示すが、光軸に対して傾斜した方向についてはその傾斜の角度が大きくなるにしたがって輝度が低くなる特性のものが多く、例えば表面実装型のＬＥＤパッケージでは光軸に対する傾斜の角度６０［度］の方向については、光軸に沿った方向（傾斜の角度０［度］）についての輝度の５０［％］程度まで低下するものが代表的である。
【０００８】
そして、光軸に沿った方向の光は、発光装置の出射面における略中央を通って出射し、光軸に対して傾斜した角度が大きい方向に出射した光は、その角度が大きくなるほど出射面の周縁部に近い位置で出射するため、出射面は、中央部付近で明るく、周縁部で暗くなり、輝度の分布の不均一程度が大きい。
【０００９】
本発明は上記事情に鑑みなされたものであり、全体の厚さを厚くすることなく、光軸に平行に出射する光の輝度分布の不均一度合いを抑制して強度分布の均一性を高めることができる発光装置を提供することを目的とするものである。
【課題を解決するための手段】
【００１０】
本発明に係る発光装置は、ＬＥＤパッケージの発光面の中心を焦点とする仮想的な回転放物面の下方において、フレネルレンズのように複数の分割された反射面を同心円状に配列して形成された反射面を有する反射部材により、ＬＥＤパッケージからの出射光をＬＥＤパッケージの背面方向に向けて平行光として反射させることで、全体の厚さを厚くすることなく、出射面の周縁部分における輝度を向上させて輝度分布の均一性を高めるものである。
【００１１】
すなわち、本発明に係る発光装置は、その発光面から光を出射するＬＥＤパッケージが実装された回路基板と、前記ＬＥＤパッケージの発光面に対向する側に、前記発光面と所定の間隔を以て配置されて、前記発光面から出射された光を前記ＬＥＤパッケージの背面の方向に、平行光として反射する反射面を有する反射部材と、を備え、前記反射面は、分割された複数の反射面が並べて形成されたものであるとともに、前記発光面の位置を焦点とするとともに、前記反射部材の、前記発光面に平行な方向に沿った幅の各端部から、前記幅に直交する方向に延ばした垂線と前記発光面の延長面とが交わる各交点を通過する、前記反射部材の側に凸の回転放物面を仮想的に定義したとき、前記反射面は、前記回転放物面よりも下側であって、前記反射面のうち最も下側にあるものが前記回転放物面の最下点以下の位置となるように形成されていることを特徴とする。
【発明の効果】
【００１２】
本発明に係る発光装置によれば、全体の厚さを厚くすることなく、光軸に平行に出射する光の輝度分布の不均一度合いを抑制して均一性を高めることができる。
【図面の簡単な説明】
【００１３】
【図１】本発明の発光装置の一実施形態としての灯火部を備えた交通信号灯を示す模式図である。
【図２】灯火部の構成を示す部分断面図である。
【図３】回路基板に、複数のＬＥＤパッケージ等が分布して実装されている状態を模式的に示した図である。
【図４】（ａ）は回路基板の延びた方向に対して直交する面（図２のＡ−Ａ線に沿った面）で切断した要部の断面を示す図であり、（ｂ）は（ａ）における部分Ｂを模式的に示した拡大図である。
【図５】比較例としての、単一の回転放物面で反射面が形成されたリフレクタを有する灯火部を示す、図４（ａ）相当の断面図である。
【発明を実施するための形態】
【００１４】
以下、本発明に係る発光装置の実施形態について、図面を参照して説明する。
【００１５】
本実施形態は、本発明に係る発光装置を図１に示した交通信号灯２００の各色（赤色、黄色、緑色）にそれぞれ対応した灯火部１００に適用した例である。
【００１６】
なお、図１に示した交通信号灯２００は、３つの灯火部１００が縦に並んだものであるが、横に並んだものであってもよいことはいうまでもない。
【００１７】
ただし、積雪寒冷地における雪害対策としては、灯火部１００が縦に並んだ縦型の方が、着雪が少なく有利である。
【００１８】
各灯火部１００は、図２に示すように、略円板状に形成された保護カバー３０と、有底筒状に形成されたユニットケース４０と、これら保護カバー３０とユニットケース４０との外周縁部同士を重ね合わせた状態に保持させるとともに、保護カバー３０とユニットケース４０とによって囲まれた内部空間への浸水を防止する環状の防水ゴムパッキン５０とによりハウジングが形成されている。
【００１９】
保護カバー３０は、例えばポリカーボネートにより形成されていて、後述するＬＥＤパッケージ１４（図３等参照）から出射された光を透過させる透光性を有している。
【００２０】
ユニットケース４０は、例えばＡＢＳ樹脂により形成されていて、外部の制御機器から商用電源等の電力供給を受けるための電線が接続されるコネクタ７０が設けられている。
【００２１】
このハウジングの内部には、渦巻き状の回路基板１１（プリント配線板など）と、光を反射させるリフレクタ２０（反射部材）と、リフレクタ２０の背面側（リフレクタ２０の反射面２１とは反対側）に配置された断熱材６０とが収容されている。なお、本実施形態におけるＬＥＤパッケージ１４とは、ＬＥＤチップをパッケージ実装したものである。
【００２２】
渦巻き状の回路基板１１の一方の面１１ｍ側には、図３に示すように、その延びた方向に沿って、例えば３１個のＬＥＤパッケージ１４と、例えば４つの制御回路１５と、１つのブリッジダイオード１６とが分布して実装されている。
【００２３】
そして回路基板１１は、図３，４に示すように、ＬＥＤパッケージ１４等が実装されていない反対側の面１１ｎが、保護カバー３０の裏面３２（ハウジングの内部に臨んだ面）に接して設けられていて、例えば、接着剤や両面テープ等によって保護カバー３０に貼付されている。
【００２４】
したがって、ＬＥＤパッケージ１４から光Ｌが出射される発光面１４ａは、保護カバー３０のおもて面３１の方向ではなく、ハウジングの内部を向いていて、保護カバー３０はＬＥＤパッケージ１４の背面１４ｂ（発光面１４ａとは反対側（裏側）の面）の側に配置されている。
【００２５】
回路基板１１に設けられたブリッジダイオード１６は、ユニットケース４０に設けられたコネクタ７０と電線等によって接続され、外部の制御機器から商用電源等の電力供給を受ける。
【００２６】
回路基板１１上に実装された多数のＬＥＤパッケージ１４は、複数個ずつの複数のグループに区切られて接続されており、制御回路１５は、ＬＥＤパッケージ１４を発光（駆動）させるための商用電源の交流を整流して得られた整流電圧を各グループに印加するに際し、複数のグループ間の接続形態を、整流電圧の大きさに応じて並列接続と直列接続とを適宜に切り替える制御を行うもの（例えば、特開２０１１−１５９９０２号公報に開示されたＬＥＤ駆動回路）である。
【００２７】
すなわち、本実施形態における制御回路１５は、回路基板１１上に４つ実装されている。一方、回路基板１１上に実装された３１個のＬＥＤパッケージ１４は、ブリッジダイオード１６に近い側から順に、８個、８個、８個、７個の４つにグループ（例えば、グループＡ、グループＢ、グループＣ、グループＤ）に分けられている。
【００２８】
そして、４つの制御回路１５のうち３つの制御回路１５は、これらＬＥＤパッケージ１４の各グループ間に１つずつ配置され、残りの１つの制御回路１５は、ブリッジダイオード１６とＬＥＤパッケージ１４の最初のグループとの間に配置されている。
【００２９】
各グループに属する複数のＬＥＤパッケージ１４はいずれもグループ内で直列に接続されている。また、各グループ間の接続は直列接続と並列接続とが切り替えられ可能に接続されており、各制御回路１５が、ブリッジダイオード１６に入力された整流電圧の大きさに応じて、これら２つの接続形態のうちいずれか一方またはその組み合わせの接続形態を選択し、その選択された接続形態に切り替える制御を行う。
【００３０】
詳細には、ブリッジダイオード１６に供給される商用電源は交流電圧であるため、ＬＥＤパッケージ１４を駆動するために交流電圧を全波整流するが、その全波整流して得られた直流の電圧（整流電圧）の大きさは時系列に変化する。
【００３１】
制御回路１５は、ブリッジダイオード１６に入力された整流電圧の値に応じて、７個または８個のＬＥＤパッケージ１４からなる各グループ間の接続形態を、以下の（１）〜（３）のうちいずれかに制御する。すなわち、
（１）入力された整流電圧が予め設定された第１の閾値よりも大きい期間中は、全てのグループＡ，Ｂ，Ｃ，Ｄを直列接続とするように制御し、
（２）入力された整流電圧が予め設定された第１の閾値以下かつ第２の閾値（第１の閾値未満の値）以上の期間中は、グループＡ，Ｂを直列接続し、グループＣ，Ｄを直列接続し、２組の直列接続（直列接続されたＡ，Ｂのグループと直列接続されたＣ，Ｄのグループとの）間を並列に接続するように制御し、
（３）入力された整流電圧が予め設定された第２の閾値未満の期間中は、全てのグループＡ，Ｂ，Ｃ，Ｄを並列接続とするように制御する。
【００３２】
このように、入力された整流電圧の大きさに応じて複数のＬＥＤパッケージ１４からなる各グループ間の接続形態を切り替えることにより、整流電圧が、例えば直列接続ではＬＥＤパッケージ１４を発光させることができない程度の、閾値よりも低い電圧の期間中であっても、一部または全部を並列接続することにより、ＬＥＤパッケージ１４を安定して発光させることができる。
【００３３】
リフレクタ２０は、図４に示すように、ＬＥＤパッケージ１４の発光面１４ａに対向する側に、発光面１４ａと所定の間隔Ｔを以て配置されて設けられ、ＬＥＤパッケージ１４から出射した光Ｌを、保護カバー３０の方向（ＬＥＤパッケージ１４の背面１４ｂの向いた方向）に、ＬＥＤパッケージ１４の光軸Ｃに平行な光として反射する反射面２１が形成されている。
【００３４】
この反射面２１は、分割された複数の反射面ｊ１，ｊ２，ｊ３，ｊ４，…が、光軸Ｃからの半径方向に沿って順次並べて形成されたものである。
【００３５】
しかも、この反射面２１は、発光面１４ａの中心（発光点）１４ｃを焦点とするとともに、リフレクタ２０の、発光面１４ａに平行な方向に沿った幅ｄの各端部Ｄ１，Ｄ２から、幅Ｗに直交する方向に延ばした垂線Ｈ１，Ｈ２と発光面１４ａの延長面Ｓとが交わる各交点Ｐ１，Ｐ２を通過する、リフレクタ２０の側に凸の回転放物面Ｊ０（図４（ａ）においては光軸Ｃを含む切断面に現れる放物線Ｊ０として表示）を仮想的に定義したとき、反射面２１は、回転放物面Ｊ０よりも下側であって、反射面２１上で最も下側にあるもの（光軸Ｃとの交点に対応する反射面ｊ１）が回転放物面Ｊ０の最下点Ｐ０以下の位置となるように形成されている。
【００３６】
反射面２１は、射出成形された樹脂部品等の基材の表面に金属膜を蒸着またはメッキ、もしくは、金属板をプレス成型して生成されている。
【００３７】
なお、反射面２１は具体的には、ＬＥＤパッケージ１４の発光面１４ａのうち中央の発光点１４ｃを共通の焦点とする、発光面１４ａの向いた方に突出した複数の回転放物面Ｊ１，Ｊ２，Ｊ３，Ｊ４，…（図４（ｂ）参照）のうち、発光面１４ａの向いた側に仮想的に設定された仮想面Ｆとそれぞれ交差する部分ｊ１，ｊ２，ｊ３，ｊ４，…（以下、放物面部分ｊ１，ｊ２，ｊ３，ｊ４，…という。）が、この順序で仮想面Ｆに沿って同心円状（図２参照）に配列されて形成されている。
【００３８】
つまり、互いに異なる放物面部分ｊ１，ｊ２，ｊ３，ｊ４，…が、この順序で仮想面Ｆ上において、断面が概略鋸歯状の輪郭となるように配列されていて、フレネルレンズのような形態となっている。
【００３９】
なお、仮想面Ｆは、光軸Ｃとの交点において最下点となり、光軸Ｃとの交点から離れるにしたがって高い位置となるような面として形成されているが、平面であってもよい。
【００４０】
図４（ｂ）は、光軸Ｃに対して右側に現れた放物面部分ｊ１，ｊ２，ｊ３，ｊ４，…の輪郭形状のみを記載し、光軸Ｃに対して左側にも本来は現れるべき、右側と対称の放物面部分ｊ１，ｊ２，ｊ３，ｊ４，…の輪郭形状の記載を省略したものである。
【００４１】
また、図４（ｂ）は  図４（ａ）における破線で囲まれた部分Ｂを模式的に拡大して表した図であるため、各放物面部分ｊ１，ｊ２，ｊ３，ｊ４，…がサイズの大きな凹凸として表現されているが、実際には、非常に狭い間隔で細密に配列されているためサイズの微小な凹凸であり、反射面２１の全体としては略平面と捉えられるものとなっている。
【００４２】
したがって、本実施形態におけるリフレクタ２０は略平板であり、図５に示した、単一の回転放物面Ｊ１のみで反射面２１′が形成されたリフレクタ２０′と比較したとき、リフレクタ２０自体の厚さが薄いものとなり、リフレクタ２０の設置スペースを薄くすることができる。
【００４３】
ＬＥＤパッケージ１４の発光面１４ａの中心である発光点１４ｃから出射した光Ｌは、それぞれリフレクタ２０の反射面２１に到達するが、この反射面２１は、仮想面Ｆ上の各部分において、発光点１４ｃを焦点とする回転放物面Ｊ１，Ｊ２，Ｊ３，Ｊ４，…の一部である放物面部分ｊ１，ｊ２，ｊ３，ｊ４，…として形成されているため、各放物面部分ｊ１，ｊ２，ｊ３，ｊ４，…で反射した全ての光Ｌは、光軸Ｃに平行に向きが揃えられて、保護カバー３０に向かって進行し、保護カバー３０を透過して灯火部１００の外部に出射され、外部の視認者等によって視認されうるものとなる。
【００４４】
ここで、本実施形態の灯火部１００を、図５に示した、単一の回転放物面Ｊ１のみで反射面２１′が形成されたリフレクタ２０′を用いたもの（比較例）と比較したとき、本実施形態の灯火部１００は、灯火部１００の全体の厚さを厚くすることなく、光軸Ｃに平行に出射する光Ｌの輝度分布の不均一度合いを抑制して均一性が高められている。
【００４５】
すなわち、比較例におけるリフレクタ２０′の反射面２１′は、本実施形態におけるリフレクタ２０の反射面２１のうち光軸Ｃ上での部分に対応した回転放物面Ｊ１と同じ回転放物面Ｊ１のみによって全体が形成されている。
【００４６】
このため、比較例が、本実施形態の灯火部１００の保護カバー３０における光Ｌの出射面の幅Ｗ（図４に示した断面における幅ｄ）と同一の幅Ｗの出射面から光Ｌを出射するものであると仮定したとき、出射面の幅Ｗの両端縁近傍、すなわち出射面の周縁部近傍から出射する光Ｌは、比較例においては図５に示すように、ＬＥＤパッケージ１４の発光点１４ｃから、光軸Ｃに対して角度α［度］だけ傾いた方向に出射された光となる。
【００４７】
一方、本実施形態の灯火部１００においては、出射面の幅Ｗの両端縁近傍、すなわち出射面の周縁部近傍から出射する光Ｌは、図４に示すように、ＬＥＤパッケージ１４の発光点１４ｃから、光軸Ｃに対して、角度α［度］よりも小さい角度β［度］（０［度］＜β＜α＜９０［度］）だけ傾いた方向に出射された光となる。
【００４８】
ここで、ＬＥＤパッケージ１４から出射される光Ｌの配光は、光軸Ｃに沿った方向（光軸Ｃに対する傾きの角度θ＝０［度］）についての強度が最大となり、角度θが大きくなるにしたがって強度が小さくなるという特性を有している。
【００４９】
したがって、上述した比較例と本実施形態の灯火部１００とを比較すると、出射面の幅Ｗの周縁部近傍から出射する光Ｌは、光軸Ｃに対する傾きの角度θが相対的に小さい角度β［度］となる本実施形態の灯火部１００の方が、相対的に大きい角度α［度］となる比較例よりも大きな強度となる。
【００５０】
この結果、本実施形態の灯火部１００は、比較例よりも、出射面において光軸Ｃに平行に出射する光Ｌの輝度分布の不均一度合いが抑制されたものとなり、輝度分布の均一性が高められる。
【００５１】
なお、比較例において、出射面の周縁部近傍に向かう光Ｌを、本実施形態の灯火部１００と同様に、ＬＥＤパッケージ１４の発光点１４ｃから、光軸Ｃに対して角度β［度］だけ傾いた方向に出射された光となるような単一の回転放物面Ｊ′（図５において二点鎖線で示す）で反射面２１′を形成した場合、本実施形態の灯火部１００と同様に、輝度分布の均一性を高めることは可能である。
【００５２】
しかし、この場合、保護カバー３０からリフレクタ２０′までの厚さｔ′が、本実施形態の灯火部１００における厚さｔよりも厚いものとなる（ｔ＜ｔ′）。
【００５３】
このように、本実施形態の灯火部１００は、灯火部１００の全体の厚さを厚くすることなく、光軸Ｃに平行に出射する光Ｌの輝度分布の不均一度合いを抑制して均一性を高めることができる。
【００５４】
また、本実施形態の灯火部１００は、回路基板１１が保護カバー３０に接して設けられているため、熱伝導の形式によって、ＬＥＤパッケージ１４の発熱が回路基板１１を介して保護カバー３０に伝わり、保護カバー３０の温度を高めることができる。
【００５５】
この結果、交通信号灯２００が降雪などに晒される状況で使用される場合に、保護カバー３０に雪や氷が付着しても、保護カバー３０は温められているため、付着した雪や氷はその熱により溶けて下方に流れ落ち、保護カバー３０を透過した出射光Ｌの視認性が雪や氷によって阻害されるのを防止することができる。
【００５６】
さらに、本実施形態の灯火部１００は、回路基板１１上に制御回路１５がところどころに設けられていることにより、保護カバー３０を制御回路１５からの熱伝導により一層温めることができ、保護カバー３０の温度をさらに高めることができる。
【００５７】
本実施形態の灯火部１００は、渦巻き状の回路基板１１を用いたものであるが、本発明に係る発光装置における回路基板は、この実施形態のものに限定されるものではなく、反射面２１による反射光Ｌを外部に透過可能の隙間や透明性を有しているものであれば、いかなる形状、特性のものであっても適用することができる。
【００５８】
なお、回路基板１１は反射面２１で反射した光Ｌの光路上に配置されるため、回路基板１１の幅が広くなるにしたがって、反射した光Ｌを遮る量が増大することになる。したがって、回路基板１１の幅は可能な限り狭くするか、または光Ｌの通過を妨げない透過性を有するものであることが望ましい。
【００５９】
上述した実施形態は、本発明に係る発光装置を交通信号灯２００の灯火部１００に適用した例であるが、本発明に係る発光装置は、この実施形態に限定されるものではなく、街路灯や照明器具等に適用することができる。
【００６０】
また、本実施形態の灯火部１００は、一般的に砲弾型のＬＥＤよりも出力の大きい表面実装型のＬＥＤパッケージ１４を用いているため、従来の砲弾型ＬＥＤの交通信号灯の灯火部に比べて、ＬＥＤパッケージ１４の数量を大幅に低減することができ、コストを低減することができる。
【００６１】
例えば、砲弾型ＬＥＤを用いた交通信号灯の灯火部は、百数十個から四百数十個の砲弾型ＬＥＤを用いているが、本実施形態の灯火部１００は、わずか３１個のＬＥＤパッケージ１４を用いて、砲弾型ＬＥＤを用いた信号灯と同程度の出力を得ることができる。
【００６２】
しかも、まぶしさ（グレア）を軽減させることができるため、車両の運転者が直視するものである交通信号灯２００の灯火部１００として好適なものとなる。
【００６３】
また、非反射型のＬＥＤ信号灯器を用いた従来の交通信号灯では粒状感が顕著であり、ＬＥＤパッケージの数を極端に減らすと、本来の円形状を表せなくなるが、本実施形態の灯火部１００は粒状間を軽減した略面発光を実現できるので、わずかな数のＬＥＤパッケージ１４を用いて従来のものと同程度またはそれ以上の視認性を得ることができる。
【符号の説明】
【００６４】
１１    回路基板
１１ｍ  一方の面
１１ｎ  反対側の面
１４    ＬＥＤパッケージ
１４ａ  発光面
１４ｂ  背面
１４ｃ  発光点
１５    制御回路
１６    ブリッジダイオード
２０，２０′リフレクタ（反射部材）
２１，２１′反射面
３０    保護カバー（カバー）
３１    おもて面
３２    裏面
４０    ユニットケース
５０    防水ゴムパッキン
６０    断熱材
７０    コネクタ
１００  灯火部（ＬＥＤ発光装置）
２００  交通信号灯
Ｌ      光
Ｃ      光軸
Ｗ      幅
Ｆ      仮想面
ｔ，ｔ′厚さ
Ｈ１，Ｈ２  垂線
Ｓ      発光面の延長面
Ｐ１，Ｐ２  交点
Ｐ０    最下点
Ｊ０，Ｊ１，Ｊ２，Ｊ３，Ｊ４  回転放物面
ｊ１，ｊ２，ｊ３，ｊ４  放物面部分
【図１】
2013187310.tif 000003
【図２】
2013187310.tif 000004
【図３】
2013187310.tif 000005
【図４】
2013187310.tif 000006
【図５】
2013187310.tif 000007